(57)【要約】【課題】電子部品コアの巻線のリード線をはんだ付けした後に上壁を円滑に保ち、サイズを公称範囲に維持する電子部品台を提供すること。【解決手段】電子部品のコアに適応するようになっている上壁と、底壁と、４つの周辺壁と、周辺壁の間に代わりとして接続された４つの角部とを含む電子部品台であって、前記上壁は、この上壁に取り付けられた電子部品のコアのリード線を導き出すための少なくとも一対の対角状に延びたワイヤ溝を有し、前記底壁は、これらのワイヤ溝に対応する複数の導電ゾーンを有し、前記角部は小室となっており、各角部は、前記ワイヤ溝から電子部品のコアのリード線を受け入れるために、前記ワイヤ溝から前記導電ゾーンへそれぞれ延びる導電溝を有すること。【選択図】　図４
0003098768.tif 000002
【実用新案登録請求の範囲】
【請求項１】
電子部品のコアに適応するようになっている上壁と、底壁と、４つの周辺壁と、周辺壁の間に代わりとして接続された４つの角部とを含む電子部品台であって、前記上壁は、この上壁に取り付けられた電子部品のコアのリード線を導き出すための少なくとも一対の対角状に延びたワイヤ溝を有し、前記底壁は、これらのワイヤ溝に対応する複数の導電ゾーンを有し、前記角部は小室となっており、各角部は、前記ワイヤ溝から電子部品のコアのリード線を受け入れるために、前記ワイヤ溝から前記導電ゾーンへそれぞれ延びる導電溝を有することを特徴とする電子部品台。
【請求項２】
前記上壁が対称かつ対角状に延びた二対のワイヤ溝を有することを特徴とする請求項１に記載の電子部品台。
【請求項３】
前記導電ゾーンがそれぞれ金属導電ドットによって形成されていることを特徴とする請求項１に記載の電子部品台。
【請求項４】
前記導電ゾーンがそれぞれ金属導電条片によって形成されていることを特徴とする請求項１に記載の電子部品台。
【考案の詳細な説明】
【０００１】
【考案の属する技術分野】
本考案は電子部品に関し、特に、電子部品コアの巻線のリード線をはんだ付けした後に上壁を円滑に保ち、サイズを公称範囲に維持する電子部品台に関する。
【０００２】
【従来の技術】
電子装置は通常は回路板を通じて操作される。電子装置の回路板は、さまざまな電子部品の接触ピンまたはリード線を接続するためのプリセット接点を有する。これに関するいわゆる電子部品として、抵抗器、コンデンサ、インダクタなどが含まれる。電子部品は動作中に熱を発生するので、電子部品は、接触ピンの接続部を除いて回路板の回路に接触してはならない。一般に電子部品は、電気的に絶縁性で耐熱性の点で有利なセラミックで作られた台を有する。図１はある正規のインダクタの構造を示す。この設計によれば、このインダクタは台Ｂと、巻線が取り付けられて台Ｂにセットされた鉄心Ａを含む。台Ｂは周辺突起Ｃと底部間隔保持ブロックＥとを有する。巻線のリード線は鉄心Ａから延ばされて、台Ｂの周辺突起Ｃにおける溝Ｄの周りに巻かれ、それからスズはんだによって回路板にはんだ付けするために底部間隔保持ブロックＥの両側において台Ｂの底側に延ばされている。この電子部品台の構造には欠点がある。台Ｂは周辺から突出する周辺突起Ｃを有するので、周辺突起Ｃは台Ｂの形状設計を壊す。巻線のリード線は周辺突起Ｃの周りに巻かれているので、リード線は外部物体によって損傷を受ける傾向があるか、または取付け中に他の電子部品に接触することもある。さらに、底部間隔保持ブロックＥは台Ｂの底壁から下向きに突き出ているので、電子部品を回路板に取り付けるときに電子部品を水平に平衡して保つことは困難である。
【０００３】
図２は、従来の技術による電子部品台の、別の構造の上面図と側面図を示す。この設計によれば、台は、コア部材において巻線のリード線に適応するための円形中央凹部に対して両側にある２つのワイヤ溝Ｆと、コア部材において巻線のリード線を接続するための電気メッキされたゾーンＧとを有する。この台の設計は、回路板に取り付けられるときに平衡維持が可能である。しかしながら、リード線をワイヤ溝Ｆにはんだ付けするときには、スズはんだＨは台の外側にはみ出し、この結果、台の周囲表面は一様とならない（図３を参照）。
【０００４】
【考案が解決しようとする課題】
本考案はこの情況を考慮して達成された。本考案の主な目的は、電子部品コアの巻線のリード線をはんだ付けした後に上壁を円滑に保ち、サイズを公称範囲に維持する電子部品台を提供することである。
【０００５】
【課題を解決するための手段】
本考案のこの目的およびその他の目的を達成するために、電子部品台は、電子部品のコアに適応するようになっている上壁と、底壁と、４つの周辺壁と、周辺壁の間に代わりとして接続された４つの角部とを含み、上壁は、上壁に取り付けられる電子部品のコアのリード線を導き出すための少なくとも一対の対角状に延びたワイヤ溝を有し、底壁は、これらのワイヤ溝に対応する複数の導電ゾーンを有し、角部は小室となっており、各角部は、ワイヤ溝から電子部品のコアのリード線を受け入れるために、ワイヤ溝から導電ゾーンへそれぞれ延びる導電溝を有する。
又、前記上壁が対称かつ対角状に延びた二対のワイヤ溝を有することが好適である。
又、前記導電ゾーンがそれぞれ金属導電ドットによって形成されていることが好適である。
さらに、前記導電ゾーンがそれぞれ金属導電条片によって形成されていることが好適である。
【０００６】
【考案の実施の形態】
本考案は以下の説明および添付の図面を参照することにより、より完全に理解することができる。
【０００７】
図４、５には、上壁１と、底壁２と、電子部品台の厚さを形成する４つの周辺壁３とを有する電子部品台が示されている。
【０００８】
上壁１は、電子部品台（図示せず）に適応するようになっており、金属製リード線を導き出すための少なくとも一対の対角状に延びたワイヤ溝１１を有する。この好ましい実施形態によれば、２つに巻線（図示せず）の金属製リード線を導き出すために、四隅において対角状および対称に延びる二対のワイヤ溝１１がある。
【０００９】
底壁２はサイズと形状の点で上壁１と合い、金属の導電ドットまたは導電条片で形成された導電ゾーン２１を有する。
【００１０】
周辺壁３は、面取りされた縁部３１によって互いに連結された平坦な壁である。導電側溝３２は、各２つの隣接する周辺壁３３の間にある４つの角部における面取りされた縁部３１の中にそれぞれ形成され、ワイヤ溝１１から導電ゾーン２１へそれぞれ延びている。
【００１１】
（図示せず）が上壁１に取り付けられると、電子部品のコアのリード線はそれぞれワイヤ溝１１にセットされ、次いで側溝３２に沿って導電ゾーン２１へ下向きに曲げられ、それからそれにはんだ付けされて固定される。各２つの隣接周辺壁３間における４つの角部は面取り３１されているので、電子部品のコアのリード線を導電側溝３２と導電ゾーン２１にはんだ付けしても、スズはんだははみ出すことはなく、したがって電子部品台の実際の仕様およびサイズは公称範囲内に維持される。さらにまた、電子部品のコアのリード線は電子部品台の周辺において導電側溝３２と導電ゾーン２１にはんだ付けされるので、上壁１１は円滑に維持され、スズはんだが残留することはない。異なる材料を適用することによって追加の機能が得られる。例えば、軟質フェライトを使用するとインダクタンス値が非常に大きくなる。
【００１２】
電子部品台のプロトタイプを図４、５の特徴を伴って構成した。この電子部品台は円滑に機能して上述の特徴のすべてを提供する。
【００１３】
本考案の特定の実施形態を引例の目的で詳細に説明したが、本考案の精神と範囲を逸脱することなく、さまざまな変更ならびに改良を行うことができる。したがって、本考案は添付の請求の範囲によってのみ限定されるものである。
【図面の簡単な説明】
【図１】従来のインダクタの立面図である。
【図２】従来の技術による電子部品台の別の構造を示す上面図と側面図である。
【図３】図２と同様な図であるが、台の外側にはみ出したスズはんだを示す図である。
【図４】本発明による電子部品台の斜視図である。
【図５】本発明による電子部品台の底面図である。
【符号の説明】
１　上壁
２　底壁
３　周辺壁
１１　ワイヤ溝
２１　導電ゾーン
３１　面取りされた縁部
３２　導電側溝
３３　周辺壁
Ａ　鉄心
Ｂ　台
Ｃ　周辺突起
Ｄ　溝
Ｅ　底部間隔保持ブロック
Ｆ　ワイヤ溝
Ｈ　スズはんだ
Ｇ　電気めっきされたゾーン
【図１】
0003098768.tif 000003
【図２】
0003098768.tif 000004
【図３】
0003098768.tif 000005
【図４】
0003098768.tif 000006
【図５】
0003098768.tif 000007